(57)【特許請求の範囲】
【請求項１】
パワーオン指示待機中では、マイクロコンピュータ（２２）を作動させて、無線式遠隔制御器からのパワーオン信号の受信及び電気機器本体におけるパワー指示操作部の手動操作によるパワーオン指示について待機し、パワーオン指示に伴い、商用交流電源給電用スイッチ（２６）をオフからオンへ切替え、また、パワーオン中では、前記マイクロコンピュータ（２２）と共に、各第１の直流電気素子（６６）を作動させるようになっている停電対策付き電気機器（１０）において、パワーオン指示待機中及びパワーオン中、共に商用交流電源を一次側に入力されるタップ無し変圧器（１２）、
前記タップ無し変圧器（１２）の二次電流を整流した電流により充電される第１のコンデンサ（１９）、
前記第１のコンデンサ（１９）の電圧から第１の定電圧を生成する第１の定電圧生成器（２０）、
パワーオン中のみ商用交流電源を一次側に入力されユーザが商用交流電源の定格電圧に関係してタップ切替えして二次電圧を所定値に調整するようになっているタップ付き変圧器（２９）、
前記タップ付き変圧器（２９）の二次電流を整流した電流により充電される第２のコンデンサ（３９）、
前記第２のコンデンサ（３９）の電圧から第２の定電圧を生成し前記各第１の直流電気素子（６６）へ第２の定電圧を供給する第２の定電圧生成器（４０）、
定電圧生成器を介さずに前記タップ付き変圧器（２９）の二次電流を整流した電流の供給を受けて作動する第２の直流電気素子（６７）、
前記第２のコンデンサ（３９）から前記第１のコンデンサ（１９）へ順方向となるように前記第２のコンデンサ（３９）と前記第１のコンデンサ（１９）との間に介在し前記第１の定電圧生成器（２０）の入力電圧が、第１の定電圧生成器（２０）がその定電圧を生成できる電圧（以下、「動作保証最小入力電圧」と言う。）未満へ低下する前に導通して、前記第１の定電圧生成器（２０）の入力電圧を動作保証最小入力電圧以上に確保するダイオード（４１）、及び
前記タップ付き変圧器（２９）の二次電圧から商用交流電源の停電を検出し検出結果を前記マイクロコンピュータ（２２）へ出力する停電検出手段（５７）、
を有していることを特徴とする停電対策付き電気機器。
【請求項２】
パワーオン中の停電発生時に前記マイクロコンピュータ（２２）に停電に対する保護処理を実施させる電力を確保する停電時保証用電源（２１）が設けられ、前記マイクロコンピュータ（２２）は、前記停電検出手段（５７）からの入力から停電発生を検出すると、停電に対する保護処理を実施するようになっていることを特徴とする請求項１記載の停電対策付き電気機器。
【発明の詳細な説明】
【０００１】
【発明の属する技術分野】
この発明は、オーディオ機器等に適用される停電対策付き電気機器に係り、詳しくは定格電圧の異なる国別のタップ調整を簡単化できる停電対策付き電気機器に関するものである。
【０００２】
【従来の技術】
オーディオ機器では、パワーオン指示待機中もマイクロコンピュータを作動させて、ワイヤレスリモコンからのパワーオン信号の受信、及びオーディオ機器本体におけるパワー指示キー等の手動操作によるパワーオン指示について待機し、パワーオン指示に伴い、パワースイッチリレーをオフからオンへ切替えて、マイクロコンピュータと共に、各第１の直流電気素子も作動させるようになっている。そして、パワーオン指示待機中にも、マイクロコンピュータを作動させるため、パワーオン指示待機中も作動する第１の変圧器の二次側へ、マイクロコンピュータの電力生成用の第１の定電圧生成器が接続され、また、パワーオン中に各第１の直流電気素子を作動させるために、パワースイッチリレーのオンに伴い作動する第２の変圧器への二次側へ、第１の直流電気素子の電力生成用の第２の定電圧生成器が接続される。さらに、停電対策付きオーディオ機器では、停電時にマイクロコンピュータに保護処理を行わせるために、停電検出手段が装備される。
【０００３】
【発明が解決しようとする課題】
商用交流電源の定格電圧は、日本では、１００Ｖであるのに対し、中国では、１１０〜１２０Ｖ、米国では１２０Ｖ、欧州及びオーストラリアでは２２０〜２４０Ｖとなっており、各国まちまちである。一般に考えられる停電対策付きオーディオ機器では、定電圧生成回路を介さずに変圧器の二次電流を直接、供給するメインアンプは第２の変圧器の二次側へ接続され、停電検出手段は第１の変圧器の二次側の電圧に基づいて停電を検出する。メインアンプは入力電圧が一定値に調整されなければならない。また、停電検出手段は、所定個所の電圧を所定の基準電圧と対比して、商用交流電源の停電を検出しており、商用交流電源の定格電圧が異なると、非停電時の該所定個所の電圧が変化するので、停電検出手段が支障なく停電を検出するためには、非停電時の該所定個所の電圧が商用交流電源の定格電圧に関係なく一定となるように、調整しなければならない。したがって、種々の定格電圧に関係なく、メインアンプ及び停電検出手段を適切に作動させるためには、第１及び第２の変圧器を共にタップ付きとし、ユーザは、商用交流電源の定格電圧の異なる国ごとに、両変圧器において、タップを調整して、二次側の電圧を調整しなければならず、ユーザにとり手間となる。
【０００４】
この発明の目的は、上述の問題点を克服する停電対策付き電気機器を提供することである。
【０００５】
【課題を解決するための手段】
この発明の停電対策付き電気機器（１０）によれば、パワーオン指示待機中では、マイクロコンピュータ（２２）を作動させて、無線式遠隔制御器からのパワーオン信号の受信及び電気機器本体におけるパワー指示操作部の手動操作によるパワーオン指示について待機し、パワーオン指示に伴い、商用交流電源給電用スイッチ（２６）をオフからオンへ切替え、また、パワーオン中では、マイクロコンピュータ（２２）と共に、各第１の直流電気素子（６６）を作動させるようになっている。そして、この停電対策付き電気機器（１０）は次のものを有している。
パワーオン指示待機中及びパワーオン中、共に商用交流電源を一次側に入力されるタップ無し変圧器（１２）
タップ無し変圧器（１２）の二次電流を整流した電流により充電される第１のコンデンサ（１９）
第１のコンデンサ（１９）の電圧から第１の定電圧を生成する第１の定電圧生成器（２０）
パワーオン中のみ商用交流電源を一次側に入力されユーザが商用交流電源の定格電圧に関係してタップ切替えして二次電圧を所定値に調整するようになっているタップ付き変圧器（２９）
タップ付き変圧器（２９）の二次電流を整流した電流により充電される第２のコンデンサ（３９）
第２のコンデンサ（３９）の電圧から第２の定電圧を生成し各第１の直流電気素子（６６）へ第２の定電圧を供給する第２の定電圧生成器（４０）
定電圧生成器を介さずにタップ付き変圧器（２９）の二次電流を整流した電流の供給を受けて作動する第２の直流電気素子（６７）
第２のコンデンサ（３９）から第１のコンデンサ（１９）へ順方向となるように第２のコンデンサ（３９）と第１のコンデンサ（１９）との間に介在し第１の定電圧生成器（２０）の入力電圧が、第１の定電圧生成器（２０）がその定電圧を生成できる電圧（以下、「動作保証最小入力電圧」と言う。）未満へ低下する前に導通して、第１の定電圧生成器（２０）の入力電圧を動作保証最小入力電圧以上に確保するダイオード（４１）
タップ付き変圧器（２９）の二次電圧から商用交流電源の停電を検出し検出結果をマイクロコンピュータ（２２）へ出力する停電検出手段（５７）
【０００６】
この停電対策付き電気機器（１０）には、オーディオコンポ等のオーディオ機器、ビデオ機器、及びｆａｘ機等、停電発生時にはそれに対処するために、パワーオン中の停電を監視する必要のあるあらゆる電気機器を含むものとする。
【０００７】
第１の直流電気素子（６６）は、停電対策付き電気機器（１０）に装備される例えばモジュール及びＩＣ等が含まれる。第２の直流電気素子（６７）は例えばメインアンプである。
【０００８】
第１の定電圧生成器（２０）及び第２の定電圧生成器（４０）がそれぞれ生成する第１及び第２の定電圧は、それぞれマイクロコンピュータ（２２）及び各第１の直流電気素子（６６）用であり、相互に等しくても、相互に相違していてもよいとする。第１の定電圧生成器（２０）及び第２の定電圧生成器（４０）は、各定電圧を生成するために、所定値以上の入力電圧（以下、「動作保証最小入力電圧」と言う。）を確保されなければならない。しかし、第１の定電圧生成器（２０）及び第２の定電圧生成器（４０）は、入力電圧が動作保証最小入力電圧以上確保されれば、相当に高い値であっても、各定電圧を生成する機能を支障なく達成できる。したがって、タップ無し変圧器（１２）は、商用交流電源の定格電圧の最も低い国の定格電圧（例：日本の１００Ｖ）でも、第１の定電圧生成器（２０）の入力電圧が動作保証最小入力電圧以上になるように、設定さえされていればよいことになる。すなわち、タップ無し変圧器（１２）において、二次電圧は、各国の商用交流電源の定格電圧によって、相違し、また、この停電対策付き電気機器（１０）では、それを調整するタップを省略しているが、商用交流電源の定格電圧の最も低い国の定格電圧において第１の定電圧生成器（２０）の入力電圧が動作保証最小入力電圧以上を確保できるように、タップ無し変圧器（１２）が設定されてさえあれば、商用交流電源の定格電圧の異なる各国別のタップ無し変圧器（１２）のタップ調整は不要である。これに対して、第２の定電圧生成器（４０）は、その二次側に定電圧生成器のみが配線されているのであれば、第２の定電圧生成器（４０）の二次側電圧が商用交流電源の定格電圧に応じて変わっても、問題が生じないが、第２の直流電気素子（６７）は、定電圧生成器を介さずに、変圧器の二次電流を整流した電流を直接、供給されるようになっており、二次側電圧を一定値に調整しないと、第２の直流電気素子（６７）の作動に支障が生じてしまうので、商用交流電源の定格電圧の異なる国別のユーザによるタップ調整は必須である。
【０００９】
パワーオン指示待機中では、タップ無し変圧器（１２）の二次側に二次電圧が誘導され、第１の定電圧生成器（２０）は、パワーオン指示待機中、第１の定電圧を生成して、それをマイクロコンピュータ（２２）へ供給し、これにより、マイクロコンピュータ（２２）は、パワーオン指示待機中の作動のための電力を確保され、例えばワイヤレスリモコンや本体パワーキーからのパワーオン指示について待機し、パワーオン指示を検出すると、商用交流電源給電用スイッチ（２６）をオフからオンへ切替える。
【００１０】
パワーオン中では、タップ無し変圧器（１２）及びタップ付き変圧器（２９）の両方において二次側には二次電圧が誘導され、第１の定電圧生成器（２０）及び第２の定電圧生成器（４０）が有効になる。第２の定電圧生成器（４０）が、作動して、第２の定電圧を生成し、それを第１の直流電気素子（６６）へ供給して、第１の直流電気素子（６６）は作動する。また、第２の直流電気素子（６７）も、タップ付き変圧器（２９）の二次電流を整流した電流を供給されて、作動する。一方、マイクロコンピュータ（２２）は、パワーオン指示待機中よりパワーオン中の方が負荷が増大し、必要電力も増えるが、第１のコンデンサ（１９）の電圧が適当に低下しても、第１の定電圧生成器（２０）の入力電圧が第１の定電圧生成器（２０）の動作保証最小入力電圧未満になる前に、ダイオード（４１）がオンとなり、第１のコンデンサ（１９）はタップ付き変圧器（２９）の二次電流を整流した電流を供給され、第１の定電圧生成器（２０）は、入力電圧を動作保証最小入力電圧以上に保持され、第１の定電圧を生成する。したがって、マイクロコンピュータ（２２）は、パワーオン中も、支障なく、作動を行う。
【００１１】
ユーザは、停電対策付き電気機器（１０）の使用している国の商用交流電源の定格電圧に合わせて、タップ付き変圧器（２９）のタップ（３３）の位置を切替え、これにより、タップ付き変圧器（２９）の二次側電圧は、商用交流電源の定格電圧に関係なく、一定値になる。一方、第２の定電圧生成器（４０）の二次側電圧は、パワーオン中の非停電中では、十分に高いのに対し、停電対策付き電気機器（１０）の停電が生じると、ほぼ０になる。停電検出手段（５７）は、タップ付き変圧器（２９）の二次電圧（通常は実効電圧）が所定値Ｖａ以上であれば、非停電中と判断し、Ｖａ未満であれば、停電が発生したと判断する。非停電中のタップ付き変圧器（２９）の二次電圧が、商用交流電源の定格電圧に応じて変化するのであれば、基準値としてのＶａも変更しなければならないが、非停電中のタップ付き変圧器（２９）の二次電圧が一定となっているので、停電検出手段（５７）は、商用交流電源の定格電圧に関係なく、一定のＶａを基準値にして、停電の発生を速やかに検出できる。
【００１２】
このように、パワーオン指示待機中及びパワーオン中、共用のタップ無し変圧器（１２）と、パワーオン中専用のタップ無し変圧器（１２）とを装備する停電対策付き電気機器（１０）において、国別の商用交流電源の定格電圧の相違に対して、ユーザによるタップ無し変圧器（１２）についてのタップ調整を省略しつつ、停電検出手段（５７）はパワーオン中の停電を速やかに検出できる。
【００１３】
この発明の停電対策付き電気機器（１０）によれば、パワーオン中の停電発生時にマイクロコンピュータ（２２）に停電に対する保護処理を実施させる電力を確保する停電時保証用電源（２１）が設けられ、マイクロコンピュータ（２２）は、停電検出手段（５７）からの入力から停電発生を検出すると、停電に対する保護処理を実施するようになっている。
【００１４】
保護処理（プロテンション処理）とは、例えば、パワーオフに備えて、該停電対策付き電気機器（１０）の次のパワーオン時に該停電対策付き電気機器（１０）の全部の機能及び少なくとも重大な機能に支障が生じないように、マイクロコンピュータ（２０）において処理中のデータを不揮発性メモリ、又はマイクロコンピュータ（２０）専用のＲＡＭにストアしておくことである。マイクロコンピュータ（２２）は、停電発生時に行う保護処理に必要な所定時間の電力を停電時保証用電源（２１）により確保されつつ、停電の発生を停電検出手段（５７）からの入力により検出すると、直ちに、所定の保護処理を行って、突然の停電に伴って生じるかもしれない障害を防止できる。
【００１５】
【発明の実施の形態】
以下、発明の実施の形態について図面を参照して説明する。
図１はオーディオ機器１０の停電検出部の回路図である。電源プラグ１１は、商用交流電源（日本ではその定格電圧は１００Ｖ）を供給されている所定のコンセントへ差し込まれる。待機時及びパワーオン時共用変圧器１２は一次コイル１３及び二次コイル１４を有し、一次コイル１３には電源プラグ１１から商用交流電源が供給される。全波整流器１８は、４個のダイオードのブリッジ回路から成る周知の構成を有し、二次コイル１４の二次電流を整流し、その整流電流により電解コンデンサ１９を充電する。５Ｖ−ＡＶＲ（ＡＶＲ：Ａｕｔｏｍａｔｉｃ  Ｖｏｌｔａｇｅ  Ｒｅｇｕｌａｔｅｒ：＝定電圧生成器）２０は、電解コンデンサ１９の電圧を入力されて、５Ｖの定電圧を生成する。５Ｖ−ＡＶＲ２０を含むすべての定電圧生成器では、定電圧を出力するために、入力側電圧が該定電圧より所定分（例えば０．５Ｖ）、高い電圧（以下、「動作保証最小入力電圧」と言う。）以上に保持される必要がある。５Ｖ−ＡＶＲ２０は、５Ｖの定電圧を生成して、その５Ｖの電圧により電解コンデンサ２１を充電しつつ、その５Ｖの電圧をマイクロコンピュータ２２へ供給する。電解コンデンサ２１は、停電が発生したときに、所定時間、マイクロコンピュータ２２への電力供給を保証する役目を担う。このオーディオ機器１０は、本体にはユーザの手動操作用のパワーキーを装備するとともに、ハンディ型ワイヤレスリモコン（図示せず）を装備している。マイクロコンピュータ２２は、パワースイッチリレー２６がオフ中も、５Ｖ−ＡＶＲ２０からの電力を供給され、本体におけるユーザのパワーキー操作によりパワーオン指示について待機するとともに、受信器（図示せず）へのハンディ型ワイヤレスリモコンからのパワーオン信号の受信について待機し、パワーオン指示を検出するや、パワースイッチリレー２６をオフからオンへ切替えるようになっている。
【００１６】
パワーオン時専用変圧器２９は、一次コイル３０、及び二次コイル３１，３２と共に、一次側にタップ３３を備え、ユーザは、国別の商用交流電源の定格電圧に応じてタップ３３の位置を切替え、パワーオン時専用変圧器２９における一次側と二次側との巻数比を切替えて、パワーオン中の二次コイル３１，３２の誘導電圧が国ごとの商用交流電源の定格電圧に関係なく、一定になるようにする。一次コイル３０にはパワースイッチリレー２６のオン時に電源プラグ１１から商用交流電源が供給される。全波整流器３５は、電解コンデンサ２１の二次電流を整流し、その整流電流により電解コンデンサ３９を充電する。電解コンデンサ３９の電圧は、５Ｖ−ＡＶＲ４０へ供給されるとともに、ダイオード４１を介して電解コンデンサ１９へ供給される。パワースイッチリレー２６がオンとなっているパワーオン時では、マイクロコンピュータ２２の負荷が待機時（＝パワーオン信号待機時）よりも、増大するため、電解コンデンサ１９が全波整流器１８からの整流電流のみにより充電されることになると、５Ｖ−ＡＶＲ２０の動作保証最小入力電圧未満になってしまうことがある。このため、パワーオン時では、電解コンデンサ１９は、全波整流器１８からの整流電流の他に、ダイオード４１を介して全波整流器３５からの整流電流によっても充電されるようにし、パワーオン中の５Ｖ−ＡＶＲ２０の動作保証最小入力電圧を維持できるようになっている。５Ｖ−ＡＶＲ４０は、電解コンデンサ３９の電圧を入力されて、５Ｖの定電圧を生成する。５Ｖ−ＡＶＲ４０は、その定電圧で電解コンデンサ４２を充電するとともに、その定電圧をオーディオ機器１０の種々の直流電気素子６６へ供給する。直流電気素子６６には、オーディオ機器１０に装備されるモジュール及びＩＣ等が含まれる。全波整流器４３は、二次コイル３２の二次電流を整流し、その整流電流により電解コンデンサ４４を充電する。電解コンデンサ４４の電圧はメインアンプ６７へ供給される。
【００１７】
二次コイル３１の両端は、それぞれダイオード４６，４７を介して抵抗４８の一端へ共通に接続されている。抵抗４８は、他端において抵抗４９を介してアースされ、コンデンサ５０は抵抗４９に対して並列に接続されている。抵抗５４は、一端において５Ｖ−ＡＶＲ４０の出力端子へ接続され、他端においてダイオード５５を介して抵抗４８，４９の接続点（ここで、この接続点の電圧を「Ｖ１」と定義する。）へ接続されている。検出部５７は、抵抗５４とダイオード５５との間の電圧Ｖ２を入力電圧とし、Ｖ２と基準値Ｖｒとを比較し、その比較結果に基づいた出力をマイクロコンピュータ２２へ出力する。
【００１８】
オーディオ機器１０の作用について説明する。パワーオン指示待機中は、ワイヤレスリモコンからのパワーオン信号の受信について待機するとともに、本体のパワーキーのユーザ操作について待機しており、パワースイッチリレー２６はオフであり、電源プラグ１１の商用交流電源は、パワーオン時専用変圧器２９の一次コイル３０へは供給されず、待機時及びパワーオン時共用変圧器１２の一次コイル１３のみへ供給され、電解コンデンサ１９は、全波整流器１８からの整流電流により充電されて、５Ｖ−ＡＶＲ２０の動作保証最小入力電圧以上を保持している。これにより、５Ｖ−ＡＶＲ２０は、５Ｖの定電圧を生成して、それをマイクロコンピュータ２２へ供給し、マイクロコンピュータ２２は、パワーオン指示待機中の作動、すなわち、パワーオン信号が受信器に受信されたか及び本体のパワーキーか操作されたかの監視し、受信及びパワーキー操作を検出すると、パワースイッチリレー２６をオフからオンへ切替える作動について必要な電力を確保されている。パワーオン信号受信待機中のマイクロコンピュータ２２の処理は限られているので、もし、この期間に商用交流電源の停電が起きて、マイクロコンピュータ２２の作動が直ちに停止されるようなことがあっても、停電終了後の次の商用交流電源の復帰時におけるマイクロコンピュータ２２の再起動に特に支障は生じない。
【００１９】
ワイヤレスリモコンからのパワーオン信号の受信等、パワーオン指示を検出するのに伴い、マイクロコンピュータ２２はパワースイッチリレー２６をオフからオンへ切替え、これにより、一次コイル３０にも電源プラグ１１からの商用交流電源が供給され、二次コイル３１，３２に二次電流が生じる。二次コイル３１の二次電流は、全波整流器３５により整流されてから、電解コンデンサ３９を充電し、電解コンデンサ３９は５Ｖ−ＡＶＲ４０の動作保証最小入力電圧以上に保持される。また、ダイオード４１は順方向へバイアス状態になり、全波整流器３５の整流電流の一部はダイオード４１を介して電解コンデンサ１９を充電し、電解コンデンサ１９の電圧は、パワーオン時のマイクロコンピュータ２２の負荷増大にもかかわらず、５Ｖ−ＡＶＲ２０の動作保証最小入力電圧以上を保持する。こうして、５Ｖ−ＡＶＲ２０，４０は、５Ｖの定電圧を生成し、５Ｖ−ＡＶＲ４０の出力はオーディオ機器１０の各直流電気素子６６へ供給される。また、二次コイル３２の二次電流は、全波整流器４３により整流されてから、電解コンデンサ４４を充電し、メインアンプ６７は電解コンデンサ４４の電圧を供給される。
【００２０】
パワーオン中、二次コイル３１の両端の実効電圧は十分に高く、抵抗４８と抵抗４９との間の電圧、すなわちＶ１は５Ｖ−ＡＶＲ４０の出力電圧としての５Ｖより適当に高い電圧に維持されている。これにより、ダイオード５５は、逆バイアスであり、オフとなっており、検出部５７の入力電圧Ｖ２は５Ｖ−ＡＶＲ４０のほぼ出力電圧に維持されて、基準値Ｖｒ以上になっている。したがって、検出部５７は、Ｖ２≧Ｖｒに係る信号をマイクロコンピュータ２２へ出力し、マイクロコンピュータ２２は、停電が生じていないものとして、パワーオン中の通常の処理を行っている。
【００２１】
パワーオン中、商用交流電源に停電が生じると、二次コイル３１の両端の実効電圧の下降に伴い、Ｖ１も低下する。Ｖ１が電解コンデンサ４２の電圧（＝５Ｖ−ＡＶＲ４０の出力電圧としての５Ｖ。なお、停電直後から所定時間は、電解コンデンサ４２は、停電直前までの十分な充電により、ほぼ５Ｖに維持される。）より適当に低い電圧まで下降すると、ダイオード５５は、順バイアスとなって、オンとなり、抵抗５４に電解コンデンサ４２からの電流が流れ、Ｖ２は抵抗５４の電圧降下分だけ低下して、Ｖｒ未満になる。検出部５７は、Ｖ２がＶｒ未満になったことを意味する電圧をマイクロコンピュータ２２へ出力し、マイクロコンピュータ２２は、それより、停電の発生を検出し、所定の保護処理を実施する。なお、電解コンデンサ２１も、停電発生から所定時間は、停電発生前の５Ｖ−ＡＶＲ２０からの十分な充電により適当に高い値を保持しており、マイクロコンピュータ２２の保護処理中の電力を保証する。マイクロコンピュータ２２は、保護処理終了後、パワースイッチリレー２６をオンからオフへ切替える。
【図面の簡単な説明】
【図１】オーディオ機器の停電検出部の回路図である
【符号の説明】
１０    オーディオ機器（停電対策付き電気機器）
１２    待機時及びパワーオン時共用変圧器（タップ無し変圧器）
１９    電解コンデンサ（第１のコンデンサ）
２０    ５Ｖ−ＡＶＲ（第１の定電圧生成器）
２１    電解コンデンサ（停電時保証用電源）
２２    マイクロコンピュータ
２６    パワースイッチリレー（商用交流電源給電用スイッチ）
２９    パワーオン時専用変圧器（タップ付き変圧器）
３６    タップ
３９    電解コンデンサ（第２のコンデンサ）
４０    ５Ｖ−ＡＶＲ（第２の定電圧生成器）
４１    ダイオード
５７    検出部（停電検出手段）
６６    直流電気素子（第１の直流電気素子）
６７    メインアンプ（第２の直流電気素子）
【図１】
0003585104.tif 000002